(57)【要約】【課題】受信信号の信号格子点の誤引き込みを防止し、かつ、信号格子点が配置された位置のオフセットを適切に補償すること。【解決手段】本発明は、多値変調方式の受信信号から復調されてマトリクス状に配置される多数の信号格子点Ｓの最外殻の位置に配置された複数の最外殻信号格子点の位置を監視して監視結果を出力する監視部１６ｂと、監視結果に基づいて、多数の信号格子点Ｓが誤った位置に配置される誤引き込みを判定して判定結果を出力する誤引き込み判定部１７と、多数の信号格子点Ｓのオフセット方向を算出して演算結果を出力するオフセット演算部１６ａと、誤引き込み判定部１７から誤引き込みの判定結果が出力された場合に、演算結果に基づいてオフセット補償するオフセット補償部１４と、を有する、無線受信装置１０である。【選択図】図３
2016111382.tif 000002
【特許請求の範囲】
【請求項１】
多値変調方式の受信信号から復調されてマトリクス状に配置される多数の信号格子点の最外殻の位置に配置された複数の最外殻信号格子点の位置を監視して監視結果を出力する監視部と、
前記監視結果に基づいて、多数の前記信号格子点が誤った位置に配置される誤引き込みを判定して判定結果を出力する誤引き込み判定部と、
多数の前記信号格子点のオフセット方向を算出して演算結果を出力するオフセット演算部と、
前記誤引き込み判定部から前記誤引き込みの前記判定結果が出力された場合に、前記演算結果に基づいてオフセット補償するオフセット補償部と、を有する、
無線受信装置。
【請求項２】
前記誤引き込み判定部は、所定の領域における複数の前記最外殻信号格子点の有無に基づいて前記誤引き込みを判定し、
前記オフセット補償部は、複数の前記最外殻信号格子点の位置に基づいてオフセット値を算出し前記誤引き込みを補償する、
請求項１に記載の無線受信装置。
【請求項３】
前記所定の領域は、前記マトリクスの正規位置の４隅の位置の近傍である、
請求項２に記載の無線受信装置。
【請求項４】
前記所定の領域は、前記マトリクスの正規位置の最外殻の各辺の各中央近傍である、
請求項２に記載の無線受信装置。
【請求項５】
前記誤引き込み判定部は、所定の時間間隔における前記誤引き込みが、予め定められた所定の回数で出現した場合に前記誤引き込みの前記判定結果を出力する、
請求項１から４のいずれか１項に記載の無線受信装置。
【請求項６】
前記オフセット演算部は、全ての前記信号格子点の位置情報に基づいてオフセット値を演算し、
前記オフセット補償部は、全ての前記信号格子点に対して正規位置に配置させるよう直流オフセット補償を行う、
請求項１から５のいずれか１項に記載の無線受信装置。
【請求項７】
多値変調方式で送信信号を送信する無線送信装置および、
前記送信信号を受信して、受信信号から復調されてマトリクス状に配置される多数の信号格子点の最外殻の位置に配置された複数の最外殻信号格子点の位置を監視して監視結果を出力する監視部と、
前記監視結果に基づいて、多数の前記信号格子点が誤った位置に配置される誤引き込みを判定して判定結果を出力する、誤引き込み判定部と、
多数の前記信号格子点のオフセット方向を算出して演算結果を出力するオフセット演算部と、
前記誤引き込み判定部から前記誤引き込みの前記判定結果が出力された場合に、前記演算結果に基づいてオフセット補償するオフセット補償部と、を有する、無線受信装置、
を有する、無線送受信システム。
【請求項８】
多値変調方式の受信信号から復調されてマトリクス状に配置される多数の信号格子点の最外殻の位置に配置された複数の最外殻信号格子点の位置を監視して監視結果を出力するステップと、
前記監視結果に基づいて、多数の前記信号格子点が誤った位置に配置される誤引き込みを判定して判定結果を出力するステップと、
多数の前記信号格子点のオフセット方向を算出して演算結果を出力するステップと、
前記誤引き込みの前記判定結果が出力された場合に、前記演算結果に基づいてオフセット補償するステップと、
を有する、
無線受信方法。
【請求項９】
前記誤引き込みを判定するステップは、所定の領域における複数の前記最外殻信号格子点の有無に基づいて誤引き込みを判定するステップを更に有し、
前記オフセット補償をするステップは、複数の前記最外殻信号格子点の位置に基づいてオフセット値を算出し前記誤引き込みを補償するステップを更に有する、
請求項８に記載の無線受信方法。
【請求項１０】
前記所定の領域は、前記マトリクスの正規位置の４隅の位置の近傍である、
請求項９に記載の無線受信方法。
【請求項１１】
前記所定の領域は、前記マトリクスの正規位置の最外殻の各辺の各中央近傍である、
請求項９に記載の無線受信方法。
【請求項１２】
前記誤引き込みを判定して判定結果を出力するステップは、所定の時間間隔における前記誤引き込みが、予め定められた所定の回数で出現した場合に前記誤引き込みの前記判定結果を出力するステップを更に有する、
請求項８から１１のいずれか１項に記載の無線受信方法。
【請求項１３】
前記オフセット方向を推定して前記演算結果を出力するステップは、全ての前記信号格子点の位置に基づいて前記オフセット方向を演算するステップを更に有し、
前記オフセット補償をするステップは、全ての前記信号格子点に対して正規位置に配置させるよう直流オフセット補償を行うステップを更に有する、
請求項８から１２のいずれか１項に記載の無線受信方法。
【発明の詳細な説明】
【技術分野】
【０００１】
本発明は、多値変調方式を用いた無線通信において、受信信号のオフセットを適切に補償する、無線受信装置、無線送受信システムおよび無線受信方法に関する。
【背景技術】
【０００２】
近年、周波数帯の効率的な利用のために、デジタル無線通信において多値変調方式である直角位相振幅変調（Ｑｕａｄｒａｔｕｒｅ  Ａｍｐｌｉｔｕｄｅ  Ｍｏｄｕｌａｔｉｏｎ：ＱＡＭ）が用いられている。例えば、２５６値ＱＡＭは、２５６個の信号点が横軸（Ｉ軸）に１６列、縦軸（Ｑ軸）に１６列のマトリクス状の多数の格子点として配置されている。受信信号を復調して配置された信号格子点は、通信経路上のノイズや内部機器の影響を受けて誤差を含み、正規位置よりオフセットされた位置に配置される。
【０００３】
特許文献１は、多値ＱＡＭ復調において信号格子点の位相誤差の補償をする装置が記載されている。特許文献１に記載された装置は、受信したパイロット信号に基づいて位相誤差補償し、補償された復調信号に対して直流オフセット補償し、位相誤差が予め定められた閾値を超えている場合は位相誤差補償を行わないよう制御している。特許文献１に記載された装置によると、復調信号の位相誤差の補償をすることができる。
【０００４】
特許文献２は、多値ＱＡＭ復調において、最も外側に配置された信号格子点の全てを使用して復調信号に対する直流オフセット補償をする復調装置が記載されている。特許文献２に記載された復調装置によると、復調信号に対して直流オフセット補償をすることができる。
【先行技術文献】
【特許文献】
【０００５】
【特許文献１】特開２００３−０４６５８８号公報
【特許文献２】特公平０６−０７１２７８号公報
【発明の概要】
【発明が解決しようとする課題】
【０００６】
受信信号を復調する時のオフセット補償において、多数の格子点が正規位置の行または列から外れて誤った位置に配置されるという、誤引き込みが発生する場合がある。特許文献１に記載された装置および特許文献２に記載された復調装置は、この誤引き込みを補償することができないという課題がある。
【０００７】
本発明は、多値変調方式の受信信号から復調されてマトリクス状に配置される多数の信号格子点の誤引き込みを防止し、かつ、信号格子点が配置された位置のオフセットを適切に補償することができる無線受信装置、無線送受信システムおよび無線受信方法を提供することを目的とする。
【課題を解決するための手段】
【０００８】
本発明の一態様は、多値変調方式の受信信号から復調されてマトリクス状に配置される多数の信号格子点の最外殻の位置に配置された複数の最外殻信号格子点の位置を監視して監視結果を出力する監視部と、
前記監視結果に基づいて、多数の前記信号格子点が誤った位置に配置される誤引き込みを判定して判定結果を出力する誤引き込み判定部と、
多数の前記信号格子点のオフセット方向を算出して演算結果を出力するオフセット演算部と、
前記誤引き込み判定部から前記誤引き込みの前記判定結果が出力された場合に、前記演算結果に基づいてオフセット補償するオフセット補償部と、を有する、
無線受信装置である。
【０００９】
本発明の一態様は、多値変調方式で送信信号を送信する無線送信装置および、
前記送信信号を受信して、受信信号から復調されてマトリクス状に配置される多数の信号格子点の最外殻の位置に配置された複数の最外殻信号格子点の位置を監視して監視結果を出力する監視部と、
前記監視結果に基づいて、多数の前記信号格子点が誤った位置に配置される誤引き込みを判定して判定結果を出力する、誤引き込み判定部と、
多数の前記信号格子点のオフセット方向を算出して演算結果を出力するオフセット演算部と、
前記誤引き込み判定部から前記誤引き込みの前記判定結果が出力された場合に、前記演算結果に基づいてオフセット補償するオフセット補償部と、を有する、無線受信装置、
を有する、無線送受信システムである。
【００１０】
本発明の一態様は、多値変調方式の受信信号から復調されてマトリクス状に配置される多数の信号格子点の最外殻の位置に配置された複数の最外殻信号格子点の位置を監視して監視結果を出力するステップと、
前記監視結果に基づいて、多数の前記信号格子点が誤った位置に配置される誤引き込みを判定して判定結果を出力するステップと、
多数の前記信号格子点のオフセット方向を算出して演算結果を出力するステップと、
前記誤引き込みの前記判定結果が出力された場合に、前記演算結果に基づいてオフセット補償するステップと、
を有する、
無線受信方法である。
【発明の効果】
【００１１】
本発明にかかる無線受信装置、無線送受信システムおよび無線受信方法によると、多値変調方式の受信信号から復調されてマトリクス状に配置される多数の信号格子点の誤引き込みを防止し、かつ、信号格子点が配置された位置のオフセットを適切に補償することができる。
【図面の簡単な説明】
【００１２】
【図１】第１実施形態にかかる無線受信装置の構成を示した図である。
【図２】２５６ＱＡＭ変調のコンスタレーションを示した図である。
【図３】判定回路の構成を示した図である。
【図４】オフセット補償部の構成を示した図である。
【図５】コンスタレーション上の信号格子点が誤引き込みで配置された状態を示した図である。
【図６】コンスタレーション上の最外殻領域を示した図である。
【図７】無線受信装置の直流オフセット補償と誤引き込み補償との制御の切り替えを示した図である。
【図８】無線受信装置のオフセット補償の処理を示したフローチャートである。
【図９】第２実施形態にかかる無線送信装置の誤引き込みの判定方法を示した図である。
【図１０】無線送信装置の誤引き込みの判定方法を示した図である。
【図１１】第３実施形態にかかる無線送信装置の誤引き込みの判定方法を示した図である。
【図１２】第４実施形態にかかる無線送受信システムの構成を示した図である。
【発明を実施するための形態】
【００１３】
以下、図面を参照しつつ、本発明にかかる無線受信装置、無線受信方法および無線送受信システムの実施形態について説明する。
［第１実施形態］
図１に示されるように、無線受信装置１０は、無線送信装置（不図示）から送信された多値変調方式が用いられた送信信号を受信変調波Ｒとして受信して復調し、復調信号を生成する装置である。無線受信装置１０は、例えば、２５６ＱＡＭ変調で送信された送信信号を受信して、受信信号を２５６ＱＡＭ復調する。無線受信装置１０は、直交復調部１１と、ローパスフィルタ（ＬＰＦ）１２と、Ａ／Ｄ変換部１３と、オフセット補償部１４と、キャリア同期部１５と、判定回路１６と、誤引き込み判定部１７と、を有する。
【００１４】
２５６ＱＡＭ変調は、８ｂｉｔの２値バイナリデータを２５６通りの予め定められた位相および振幅情報に変換するものである。この変換方法は送信側と受信側とで予め取り決められている。
【００１５】
図２に示されるように、格子点がマトリクス状に配置されるコンスタレーションにおいて、Ｑ軸を垂直軸、Ｉ軸を水平軸とした極座標を考えた場合、各々の格子点の原点を中心とした偏角がＩｃｈおよびＱｃｈの位相情報に相当する。各々の格子点の極座標のＣｏｓ成分がＩｃｈの振幅情報に相当し、Ｓｉｎ成分がＱｃｈの振幅情報に相当する。この格子点で表現される位相および振幅情報は送信シンボル（信号格子点）Ｓと呼ばれている。送信シンボルＳは、送信側の無線送信装置（不図示）に搬送波に乗せられ、無線受信装置１０で受信される。そして、送信シンボルＳは、最終的に無線受信装置１０が有する判定回路１６に入力される。判定回路１６は、シンボル判定と、極性信号および誤差信号の生成を行う。
【００１６】
送信シンボルＳは、判定回路１６に入力されるまでの過程で、アナログ回路の不完全性に起因する直流オフセットや熱雑音に起因するノイズの影響を受ける。判定回路１６に入力される信号は、これらのノイズの影響を受けているため、送信シンボルＳと完全に一致しない。判定回路１６では、入力信号で得られた多数の格子点を各送信シンボルＳの正規位置と比較し、最も差分が小さい格子点をシンボル判定値（入力信号から算出した送信シンボル：信号格子点Ｓ）として判定し出力する。つまり、判定回路１６は、各送信シンボルＳの位置を正規位置として、正規位置に最も近い格子点を元の送信シンボルＳであると判定し、シンボル判定値として出力する。判定回路１６は、さらに、シンボル判定値の正負を極性信号、入力信号とシンボル判定値（信号格子点）との差分を誤差信号として出力する。
【００１７】
受信変調波Ｒ（図１参照）の中心周波数が１４０ＭＨｚ、局部発振器２１の出力周波数が１４０ＭＨｚであると仮定すると、ＡＤ変換部１３から出力される信号は０．１ＭＨｚの周波数オフセットがかかっており、絶えず位相回転している状態となる。ＡＤ変換部１３から出力される信号を正しく復調するために、この位相回転を補償する必要がある。位相回転の補償には、無線受信装置１０におけるキャリア同期機能が用いられる。キャリア同期機能とは、判定回路１６と位相比較器１８と、ＬＰＦ１９と、数値制御発振器２０と、キャリア同期部１５とから構成されるデジタルの位相同期回路（Ｐｈａｓｅ  Ｌｏｃｋｅｄ  Ｌｏｏｐ：ＰＬＬ）において、ＡＤ変換部１３の出力信号における０．１ＭＨｚの周波数オフセットを補償するための機能を表す。
【００１８】
位相比較器１８は、判定回路１６に接続されており、判定回路１６から入力される極性信号と誤差信号から位相差情報を算出し、ＬＰＦ１９へ出力する。位相差情報の算出方法は公知の技術であるため、詳細説明は省略する。ＬＰＦ１９は、デジタルのローパスフィルタを意味し、判定回路１６から入力した位相差情報を平滑化する役割を有する。ＬＰＦ１９が出力するＬＰＦ出力値は、周波数情報に相当する。ＬＰＦ１９に接続された数値制御発振器２０は、ＬＰＦ１９から入力したＬＰＦ出力値を時間積分する。時間積分された周波数情報の積分結果は位相情報に相当する。そして、数値制御発振器２０は、積分結果をｓｉｎ、ｃｏｓの角度情報に変換してキャリア同期部１５へ出力する。
【００１９】
キャリア同期部１５では、入力信号に対して、数値制御発振器２０から出力されたｓｉｎ、ｃｏｓの角度情報を乗算することにより、位相回転を補償する。キャリア同期部１５が補償する位相回転の方向は、ＡＤ変換部１３が出力する出力信号に与えられた位相回転に対して逆向きである。即ち、上記の構成によるＰＬＬは、ＡＤ変換部１３が出力する出力信号に逆向きの位相回転を絶えず与えることで、周波数オフセット０．１ＭＨｚに起因する位相回転を補償することができる。
【００２０】
次に、無線受信装置１０が直流オフセットの値を演算する処理について説明する。図３に示されるように、判定回路１６は、直流オフセット値を演算するオフセット演算部１６ａを有している。オフセット演算部１６ａは、以下の演算によりオフセット値を演算する。判定回路１６のＩｃｈに入力される値をＲｉとし、Ｑｃｈに入力される値をＲｑとする。判定回路１６で判定した上述したシンボル判定値のＩｃｈ成分をＳｉとし、Ｑｃｈ成分をＳｑとすると、誤差信号のＩｃｈ成分Ｅｉ、Ｑｃｈ成分Ｅｑは各々次式で表される。
Ｅｉ＝Ｒｉ-Ｓｉ（Ｉｃｈ成分）    式（１）
Ｅｑ＝Ｒｑ-Ｓｑ（Ｑｃｈ成分）    式（２）
例えば、誤差信号の極性が次式の場合、オフセット演算部１６ａは、その入力信号（Ｉｃｈ／Ｑｃｈ）において正の方向にオフセットが付加されていると算出する。これを補償するためには、負の方向にオフセット補償すればよい。
Ｅｉ＞０，Ｅｑ＞０    式（３）
【００２１】
図４に示されるように、オフセット補償部１４は、直流オフセット補償の値を制御するアップダウンカウンタ部１４ａを有している。アップダウンカウンタ部１４ａの回路構成は一般的なものである。直流オフセット値は、アップダウンカウンタ１４ｂの出力値に相当する。アップダウンカウンタ１４ｂに第１の制御信号Ｈが入力されるとカウントダウン制御が有効（Ｅｎａｂｌｅ）となる。アップダウンカウンタ１４ｂの初期値は０で、誤差信号が上式で与えられる場合は、カウンタ段数に従ってカウントダウンされる。カウンタ段数が２＾−１３のときは、１／２＾１３の幅でカウントダウンが実施される。
【００２２】
図５に示されるように、直流オフセット補償がされた信号格子点Ｓは不適切な位置に配置されるという誤引き込みを起こす場合がある。信号格子点Ｓは紙面左方向にに１列ずれた状態で配置されている。領域Ｇ内の点は信号格子点Ｓが配置されるべき正規位置を示している。領域Ｆ内には、Ｉｃｈの直流オフセット制御がマイナス方向に張り付いた状態の信号点が存在している。通常の直流オフセット制御方式は、コンスタレーション上の全信号点情報を用いてオフセット補償をする。
【００２３】
そのため、通常の直流オフセット制御方式では、領域Ｆ内の１６個の信号が誤った位置に配置されているのにもかかわらず、その他の大多数の２４０個の信号点が正規位置に配置されていることにより、直流オフセット制御が正常に働いているとみなされる。即ち、通常の直流オフセット制御方式では、全体として領域Ｆ外の２４０個の信号点の影響が大きいため、領域Ｆ内の１６個の信号点に対しては、適切な方向（右方向）に十分なオフセット補償ができず、誤引き込みを解消できない。この誤引き込みを補償するために無線受信装置１０では、判定回路１６に設けられた監視部１６ｂと、監視部１６ｂに接続された誤引き込み判定部１７（図３参照）が設けられている。
【００２４】
図６に示されるように、監視部１６ｂは、マトリクス状に配置される多数の信号格子点Ｓのうち、マトリクスの正規位置における最も外側の行および列を含む最外殻の位置である、四角い枠状の最外殻領域Ｋ内を監視する。監視部１６ｂは、マトリクス状に配置された多数の信号格子点Ｓの最外に位置する複数の最外殻信号格子点Ｓｋの位置と数とを監視する。監視部１６ｂは、２５６ＱＡＭの場合６０個の最外殻信号格子点Ｓｋの位置と数とを監視する。監視部１６ｂが監視する時間間隔は２５６通りの信号を十分に観測し得る時間Ｔ（図７参照）とする。監視部１６ｂは、最外殻領域Ｋに複数の最外殻信号格子点Ｓｋが含まれるかどうかを監視する。そして、監視部１６ｂは、監視結果を誤引き込み判定部１７に出力する。
【００２５】
誤引き込み判定部１７は、最外殻領域Ｋ内の４隅の領域Ｋ１〜Ｋ４内に４個の信号格子点Ｓ１〜Ｓ４が存在しているかどうかを判定する。即ち、誤引き込み判定部１７は、所定の領域における複数の最外殻信号格子点の有無に基づいて誤引き込みを判定する。この判定をする際に、誤引き込み判定部１７は、対角の２点Ｓ１，Ｓ４または、Ｓ２，Ｓ３の組が領域Ｋ１,Ｋ４または、Ｋ２，Ｋ３の領域に存在しているかどうかを判定してもよい。誤引き込み判定部１７は、監視部１６ｂが出力した監視結果に基づいて領域Ｋ１〜Ｋ４内に信号格子点Ｓ１〜Ｓ４が全て存在していれば、誤引き込みが発生していないと判定する。
【００２６】
誤引き込みが発生していない場合、誤引き込み判定部１７は、通常の直流オフセット補償をさせるための第１の制御信号Ｈ（図４参照）をオフセット補償部１４に出力する。オフセット演算部１６ａは、多数の信号格子点Ｓのオフセット方向を算出する。即ち、オフセット演算部１６ａは、全ての信号格子点Ｓ（２５６個）の位置情報に基づいてオフセット値を算出し、誤差信号（図１参照）をオフセット補償部１４（図３参照）に出力する。オフセット補償部１４は、誤差信号に基づいて全ての信号格子点Ｓに対してオフセット補償をする。
【００２７】
一方、誤引き込み判定部１７は、監視部１６ｂが出力した監視結果に基づいて、４個の信号格子点Ｓ１〜Ｓ４がのいずれかが存在していない領域Ｋ１〜Ｋ４が存在していた場合、誤引き込みが発生したと判定する。例えば、領域Ｋ２および領域Ｋ４に信号格子点Ｓ２および信号格子点Ｓ４が存在していなければ信号格子点Ｓは、Ｉｃｈのマイナス方向の誤引き込みにより誤った位置に配置されている。誤引き込み判定部１７は、誤引き込みを検出すると、誤引き込みの通知および複数の最外殻信号格子点Ｓｋの位置の情報を含む第２の制御信号Ｌをオフセット補償部１４に出力する。
【００２８】
オフセット補償部１４は、第２の制御信号Ｌに基づいて、６０個の最外殻信号格子点Ｓｋの位置から２５６個の信号格子点のオフセット値を算出し、オフセット補償をすることにより誤引き込みを補償する。即ち、オフセット補償部１４は、オフセット演算部１６ａの演算結果に基づいてオフセット補償する。この最外殻信号格子点Ｓｋを用いて誤引き込み補償するオフセット補償を、以下では最外殻直流オフセット補償と呼ぶ。
【００２９】
図７に示されるように、無線受信装置１０は、所定の時間間隔Ｔで誤引き込みを監視し、誤引き込みが発生したと判定された場合には直流オフセットを切り替えて最外殻直流オフセット補償を行う。そして、無線受信装置１０は、誤引き込みが発生しない場合には通常の直流オフセット補償を行う。上記の様に、最外殻直流オフセット補償は、６０個の最外殻信号格子点Ｓｋの位置から２５６個の信号格子点のオフセット値を算出する。２５６個の信号格子点の全ての信号格子点を用いて制御する直流オフセット補償は、最外殻直流オフセット補償に比して追従性が高い。そのため、無線受信装置１０は、通常の状態では通常の直流オフセット補償を行い、誤引き込みが発生した場合には最外殻直流オフセット補償を行う。
【００３０】
次に無線受信装置１０のオフセット補償の処理について説明する。
【００３１】
図８に示されるように、無線受信装置１０において、監視部１６ｂは、最外殻領域Ｋ内の最外殻信号格子点Ｓｋを監視し、監視結果を出力する（Ｓ１００）。誤引き込み判定部１７は、最外殻領域Ｋ内の所定（４隅）の領域Ｋ１〜Ｋ４内に４個の信号格子点Ｓ１〜Ｓ４が存在しているかどうかを判定する（Ｓ１０１）。誤引き込み判定部１７は、監視結果に基づいて、多数の前記信号格子点が誤った位置に配置される誤引き込みを判定する（Ｓ１０２）。オフセット補償部１４は、誤引き込みの前記判定結果が入力された場合には（Ｓ１０２：Ｙ）、誤引き込みを補償する方向に全ての信号格子点Ｓに対して誤引き込み補償する（Ｓ１０３）。オフセット補償部１４は、それ以外の場合には（Ｓ１０２：Ｎ）演算結果に基づいて全ての信号格子点Ｓを正規位置に配置するようオフセット補償する（Ｓ１０４）。
【００３２】
上述したように無線受信装置１０によると、受信変調波から得られた多数の信号格子点Ｓが誤引き込みにより誤った位置に配置された場合でも、誤引き込み補償をすることにより各信号格子点Ｓを正しい位置に配置することができる。また、無線受信装置１０は、誤引き込みの判定の際に各信号格子点Ｓの４隅の信号格子点Ｓ１〜Ｓ４を監視するため、簡便に誤引き込みとその方向を判定することができる。さらに、無線受信装置１０は、誤引き込みが発生しない場合には直流オフセット補償をすることにより各信号格子点Ｓの配置の追従性を向上させることができる。
【００３３】
［第２実施形態］
無線受信装置１０は、直流オフセット補償と最外殻オフセット補償との制御を切り替える際に、閾値を用いてもよい。以下、閾値について説明する。
【００３４】
図９に示されるように、無線受信装置１０の誤引き込みの判定については図７と同様である。本実施形態では、閾値として前方保護段数をＮとし、後方保護段数Ｍとする。無線受信装置１０において、所定の監視時間間隔ＴでＮ回連続して誤引き込みが判定された場合は最外殻直流オフセット制御へ切り替える。無線受信装置１０において、所定の監視時間間隔ＴでＭ回連続で正常と判定した場合は直流オフセット制御へ切り替える。
【００３５】
前方保護係数カウンタ値は、監視パルスの立ち上がりを起点にカウントされる。前方保護係数カウンタ値は、誤引き込みと判定された場合にカウントアップされ、カウント値Ｎ−１でカウントアップ動作が止められる。前方保護係数カウンタ値は、正常と判定された場合はカウント値が０に戻される。前方保護係数カウンタ値がＮ−１になったとき、直流オフセット制御に用いられる切り替え信号は、Ｈに切り替えられる。
【００３６】
一方、図１０に示されるように、後方保護係数カウンタは、正常と判定された場合にカウントアップされ、カウント値Ｍ−１でカウントアップ動作が止められる。後方保護係数カウンタは、誤引き込みと判定された場合はカウント値が０に戻される。後方保護係数カウンタ値がＭ−１になったとき、直流オフセット制御に用いられる切り替え信号は、Ｌに切り替えられる。
【００３７】
上述したように、無線受信装置１０は、閾値を用いることにより、例えば、コンスタレーションの各信号点がサーマルノイズの影響等などで広がりを見せた時に引き込み状態を誤判定する確率を軽減することができる。つまり、無線受信装置１０は、誤引き込みなのに正常であると誤って判定すること、または正常な引き込みであるのにもかかわらず誤引き込みと誤って判定することを防止することができる。
【００３８】
［第３実施形態］
図１１に示されるように、監視部１６ｂは、最外殻領域Ｋの中で各辺の中央近傍の領域Ｋ５〜Ｋ８を監視し、誤引き込み判定部１７（図３参照）は、最外殻領域Ｋの中で各辺の中央近傍の領域Ｋ５〜Ｋ８の中に存在する信号格子点Ｓ５〜Ｓ１２の存否を判定してもよい。領域Ｋ５〜Ｋ８に配置された格子点は最外殻領域Ｋの中で振幅レベルが最も低いという特徴がある。そのため、誤引き込み判定部１７の誤引き込みの判定において信号格子点の振幅歪に起因する誤判定の影響を軽減することができる。
【００３９】
誤引き込み判定部１７は、領域Ｋ５〜Ｋ８に信号格子点Ｓ５〜Ｓ１２が存在していると判定した場合には正常な引き込みであると判定する。誤引き込み判定部１７は、直流オフセット補償のために用いられる制御切り替え信号（第２の制御信号Ｌ）をＬにしてオフセット補償部１４に出力する。オフセット補償部１４は、第２の制御信号Ｌに基づいて直流オフセット補償を行う。
【００４０】
誤引き込み判定部１７は、領域Ｋ５〜Ｋ８のいずれかに信号格子点Ｓ５〜Ｓ１２のいずれかが存在していないと判定した場合には正常な引き込みであると判定する。誤引き込み判定部１７は、最外殻直流オフセット補償のために用いられる制御切り替え信号（第１の制御信号Ｈ）をＨにしてオフセット補償部１４に出力する。オフセット補償部１４は、第１の制御信号Ｈに基づいて最外殻直流オフセット補償を行う。
【００４１】
［第４実施形態］
図１２に示されるように、無線受信装置１０は、多値変調方式が用いられた送信信号を送信する無線送信装置５０と組み合わせられて無線送受信システム１００を構成することもできる。
【００４２】
以上、実施形態を参照して本願発明を説明したが、本願発明は上記によって限定されるものではない。本願発明の構成や詳細には、発明のスコープ内で当業者が理解し得る様々な変更をすることができる。
【符号の説明】
【００４３】
１０            無線受信装置
１１            直交復調部
１３            変換部
１４            オフセット補償部
１４ａ            アップダウンカウンタ部
１４ｂ            アップダウンカウンタ
１５            キャリア同期部
１６            判定回路
１６ａ            オフセット演算部
１６ｂ            監視部
１７            誤引き込み判定部
１８            位相比較器
２０            数値制御発振器
２１            局部発振器
５０            無線送信装置
１００            無線送受信システム
Ｆ            領域
Ｇ            領域
Ｈ            第１の制御信号
Ｋ            最外殻領域
Ｋ１〜Ｋ４        領域
Ｌ            第２の制御信号
Ｍ            後方保護段数
Ｍ−１            カウント値
Ｒ            受信変調波
Ｓ            信号格子点
Ｓ１〜Ｓ４        信号格子点
Ｓ５−Ｓ１２        信号格子点
Ｓｋ            最外殻信号格子点
Ｔ            時間間隔
【図１】
2016111382.tif 000003
【図２】
2016111382.tif 000004
【図３】
2016111382.tif 000005
【図４】
2016111382.tif 000006
【図５】
2016111382.tif 000007
【図６】
2016111382.tif 000008
【図７】
2016111382.tif 000009
【図８】
2016111382.tif 000010
【図９】
2016111382.tif 000011
【図１０】
2016111382.tif 000012
【図１１】
2016111382.tif 000013
【図１２】
2016111382.tif 000014